(57)【要約】【課題】上流側水路の分岐部を耐震構造にして水抜きを行なうことができるばかりか、越流によって余剰水を吐き出すこともできる弁を提供する。【解決手段】弁箱１と、弁体２および弁棒３を備え、弁棒３を同時回転可能に取付けた弁体２が弁箱１の水平軸線Ｃ１に直交する鉛直軸線Ｃ２を有して、弁棒３とともに該弁棒３の軸まわりに回転できるように弁箱１に収容され、弁体２の回転によって弁箱１を開閉するバタフライ弁によってなる弁Ｖにおいて、弁体２に越流高さＨに設定した頂部４を水平に設けて、弁閉状態では、頂部４と弁箱１の内面１Ｂとで囲まれて弁体２の上流側５と下流側６を互いに連通させる越流許容空間７が形成されている。【選択図】　　　　図１
2004044730.tif 000002
【特許請求の範囲】
【請求項１】
弁箱と、この弁箱の内部に回転自在または進退移動自在に収容されて該弁箱の内部を遮断・開放する弁体とを備えた弁において、前記弁体には越流高さに設定した頂部が設けられ、該弁体の弁閉状態で前記頂部と弁箱の内面とで囲まれて弁体の上流側と下流側を互いに連通させる越流許容空間が形成されることを特徴とする弁。
【発明の詳細な説明】
【０００１】
【発明の属する技術分野】
本発明はバタフライ弁や仕切弁などの弁に係り、特に、弁閉状態での越流を許容することで堰の機能を発揮することができるようにした弁に関するものである。
【０００２】
【従来の技術】
従来、自然流下方式のたとえば導水渠などの第１水路から第２水路に余剰水を吐き出したり、水抜きを行なう場合には、第１水路の分岐部に角形断面の木材（角材）を積み上げる角落としを設けて越流させる手法や、角落としを設けるために積み上げた角材を全て除去して水抜きを行なう手法が採用されている。
【０００３】
【発明が解決しようとする課題】
ところで、第１水路の分岐部分を鋼管などの高剛性材を使用した耐震構造にする場合には、鋼管と接続できるフランジ継手を有する構造にする必要がある。バタフライ弁や仕切弁は、元来フランジ継手を有しているので、第１水路の分岐部分にバタフライ弁や仕切弁を用いることで耐震構造にすることが考えられる。ところが、従来のバタフライ弁や仕切弁では、弁体を全開することによって、前述の水抜きを行なうことはできるものの、越流によって余剰水を吐き出すことはできない。
【０００４】
本発明は、このような事情に鑑みてなされたもので、上流側水路の分岐部を耐震構造にして水抜きを行なうことができるばかりか、越流によって余剰水を吐き出すこともできる弁を提供することを目的としている。
【０００５】
【課題を解決するための手段】
前記目的を達成するために、本発明に係る弁は、弁箱と、この弁箱の内部に回転自在または進退移動自在に収容されて該弁箱の内部を遮断・開放する弁体とを備えた弁において、前記弁体には越流高さに設定した頂部が設けられ、該弁体の弁閉状態で前記頂部と弁箱の内面とで囲まれて弁体の上流側と下流側を互いに連通させる越流許容空間が形成されることを特徴としている。
【０００６】
本発明によれば、上流側水路の分岐部分に、弁箱と、この弁箱の内部に回転自在または進退移動自在に収容されて該弁箱の内部を遮断・開放する弁体とを備えた弁を用いることで、分岐部分を耐震構造にすることができる。
また、弁閉状態の弁体に堰の機能をもたせて、越流高さに設定した頂部を越える上流側の水を上流側水路の余剰水として、越流許容空間を通過させて下流側の水路に越流させることができる。
さらに、弁体を全開することによって水抜きを行なうことができる。
【０００７】
【発明の実施の形態】
以下、本発明の一実施の形態を図面に基づいて説明する。
図１は本発明の一実施の形態をバタフライ弁に適用した正面図、図２は弁箱の一部を破断して示す側面図である。これらの図において、弁Ｖは、弁箱１と、弁体２および弁棒３を備え、弁棒３を同時回転可能に取付けた弁体２が弁箱１の水平軸線Ｃ１に直交する鉛直軸線Ｃ２を有して、弁棒３とともに該弁棒３の軸まわりに回転できるように弁箱１に収容され、弁体２の回転によって弁体２の弁体シ−ト（外周シ−ト部）２Ａが弁箱１の内面、詳しくは弁箱シート（内面シート部）１Ａに接離して開閉を行うバタフライ弁によってなり、その弁箱１の内面は一様な内径を有して水平軸線Ｃ１方向にのび、断面形状は正円形を呈している。
【０００８】
一方、弁体２には、越流高さＨに設定した頂部４を水平に設けてある。このため、図１に示す弁閉状態では、頂部４と弁箱１の内面１Ｂとで囲まれて弁体２の上流側５と下流側６を互いに連通させる越流許容空間７が形成される。
【０００９】
前記構成の弁Ｖは、たとえば、図３および図４に示す自然流下方式の第１水路か８ら第２水路９に余剰水を吐き出したり、水抜きを行なう第１水路８の分岐部分１０にフランジ接続される。これにより、第１水路８の分岐部分１０を剛性の高い耐震構造にすることができる。
【００１０】
一方、弁体２を全閉にした弁閉状態では、弁体２に堰の機能をもたせて、越流高さＨに設定した頂部４を越える第１水路８の水を第１水路８の余剰水として、越流許容空間７を通過させ連絡水路１１を経て第２水路９に越流させることができる。勿論、弁体２を全開することによって水抜きを行なうことができる。すなわち、第１水路８の分岐部１０を耐震構造にして水抜きを行なうことができるばかりか、越流によって第１水路８の余剰水を吐き出すこともできる。
【００１１】
なお、前記第１実施形態では、弁体２が弁箱１の水平軸線Ｃ１に直交する鉛直軸線Ｃ２を有して、弁棒３とともに該弁棒３の軸まわりに回転できるように弁箱１に収容された立置き型のバタフライ弁で弁Ｖを構成しているが、図５に示すように、弁体２が弁箱１の水平軸線Ｃ１に直交する水平軸線Ｃ３２を有して、弁棒３とともに該弁棒３の軸まわりに回転できるように弁箱１に収容された横置き型のバタフライ弁で弁Ｖを構成しても、弁体２に越流高さＨに設定した頂部４を水平に設けることで、図５に示す弁閉状態では、頂部４と弁箱１の内面１Ｂとで囲まれて弁体２の上流側５と下流側６を互いに連通させる越流許容空間７が形成されるので、前記第１実施形態と同様の作用・効果を奏することができる。
【００１２】
さらに、前記第１・第２実施形態では、弁Ｖとしてバタフライ弁を使用して説明しているが、本発明は、たとえば仕切弁のように、弁箱に弁体が進退移動自在に収容されている往復型の弁を弁Ｖとして使用することができる。すなわち、本発明の弁Ｖは、バタフライ弁のみに限定されるものではない。
【００１３】
【発明の効果】
以上説明したように、本発明の弁は構成されているので、以下のような格別の効果を奏する。
【００１４】
すなわち、上流側水路の分岐部分を耐震構造にして、弁体を全開することで水抜きを行なうことができるばかりか、弁閉状態の弁体に堰の機能をもたせて、越流高さに設定した頂部を越える上流側の水を、上流側水路の余剰水として越流許容空間を通過させて下流側の水路に越流させることができる。
【図面の簡単な説明】
【図１】本発明の第１実施形態をバタフライ弁に適用した正面図である。
【図２】弁箱の一部を破断して示す側面図である。
【図３】弁の使用例を示す概略平面図である。
【図４】図３のＡ−Ａ線に沿う拡大断面図である。
【図５】本発明の第２実施形態をバタフライ弁に適用した正面図である。
【符号の説明】
１　弁箱
１Ａ　弁箱の内面
２　弁体
４　頂部
５　弁体の上流側
６　弁体の下流側
７　越流許容空間
Ｈ　越流高さ
Ｖ　弁
【図１】
2004044730.tif 000003
【図２】
2004044730.tif 000004
【図３】
2004044730.tif 000005
【図４】
2004044730.tif 000006
【図５】
2004044730.tif 000007